(57)【要約】      （修正有）【課題】測量機の固有特性や、使用状況の変化に合わせてソフトウェアを自動的に修正できる測量システムを提供する。【解決手段】測量システム１００のサーバ制御部は、データならびに情報に基いて測量機の異常を検出する異常検出部７４、データまたは情報に基いて、機械学習により異常の原因を解析し、異常状態を改善する方法を予測する原因解析部７５、および解析ならびに予測の結果を測量機に報告する報告部７６を備え、演算処理部は、サーバに異常検出を指令する異常検出指令部、サーバに原因解析を指令する原因解析指令部、およびサーバより、解析及び予測の結果に基いて、プログラムを最適化するプログラム修正部を備える。【選択図】図１
2019179007.tif 000002
【特許請求の範囲】
【請求項１】
測距光を出射しターゲットで反射した前記測距光を受光して、前記ターゲットまでの測距および測角を行う測定部、前記測定部を制御する演算制御部、および通信ネットワークを介して外部と通信可能な通信部を備える測量機と、前記測量機と同一の構成を有する第１の外部機器と、サーバ制御部、前記測量機および前記第１の外部機器とそれぞれ通信可能なサーバ通信部、および前記測量機ならびに前記第１の外部機器の測定に関するデータ、および前記測量機ならびに前記１の外部機器に関する情報を記憶するサーバ記憶部を備えるサーバとを備え、
前記サーバ制御部は、前記サーバに記憶された前記データならびに前記情報に基いて前記測量機の異常を検出する異常検出部、前記サーバに記憶されたデータまたは前記情報に基いて、機械学習により前記異常の原因を解析し、異常状態を改善する方法を予測する原因解析部、および前記解析ならびに予測の結果を測量機に報告する報告部を備え、
前記演算処理部は、前記サーバに異常検出を指令する異常検出指令部、前記サーバに原因解析を指令する原因解析指令部、および前記サーバより、前記解析及び予測の結果に基いて、動作プログラムを最適化するプログラム修正部を備えることを特徴とする測量システム。
【請求項２】
前記測定に関するデータは、測定結果データ、精度データ、および測定ステータスデータを備え、
前記異常検出部は、前記精度データに基づいて前記測定結果データの異常を検出し、
前記原因解析部は、機械学習により前記測定結果データ、前記精度データ、および前記測定ステータスデータとの対応を学習した結果に基づいて、前記異常の原因を解析するとともに異常状態を改善する方法を予測し、
前記プログラム修正部は、前記異常状態を改善する方法を実行し得るように、測定プログラムを修正することを特徴とする請求項１に記載の測量システム。
【請求項３】
前記演算制御部は、結果送信部をさらに備え、
プログラム修正結果を、前記サーバに送信し、
前記サーバ記憶部は、前記プログラム修正結果を記憶することを特徴とする請求項１または２に記載の測量システム。
【請求項４】
前記第１の外部機器とは異なる種類の第２の外部機器をさらに備え、
前記原因解析部は、前記測量機および前記第１の外部機器それぞれの測定に関するデータおよび前記測量機および前記第１の外部機器に関する情報に加えて、第２の外部機器に関するデータおよび前記通信ネットワークを介して利用可能なデータの少なくとも一方に基いて、前記異常の原因の解析および異常状態の改善方法の予測を行うことを特徴とする、請求項１〜３のいずれかに記載の測量システム。
【請求項５】
前記測量機は、入力部および出力部を備え、
前記サーバは、前記異常検出部および前記原因解析部による異常検出および原因解析ならびに改善方法予測の結果を前記測量機に報告する報告部を備え、
前記演算制御部は、前記異常検出部による異常検出結果、前記原因解析部による異常状態の改善方法の予測結果に基いて、前記出力部を用いて作業者に報告・助言を行う報告・助言部を備え、
前記入力部は、作業者からの指令を入力可能とすることを特徴とする請求項１〜４のいずれかに記載の測量システム。
【発明の詳細な説明】
【技術分野】
【０００１】
本発明は、通信ネットワークを介して通信可能な測量機とサーバを備える測量システムに関する。
【背景技術】
【０００２】
測量機（トータルステーション）は、測定点に置かれたターゲットに測距光を照射し、その反射光を受光して測距を行うと共に、望遠鏡の回転角に基いて測角を行う。
【０００３】
特許文献１には、測量機の回動部の回転軸のブレおよび測距光軸のズレを正確に検出し、補正の精度を向上させるための方法が開示されている。
【０００４】
同様に、測量機の機能を向上させる方法は種々提案されており、それらの方法は、一般にソフトウェアとして、測量機に内蔵されたプログラムを実行することで実現される。
【０００５】
しかし、装置毎に異なる固有特性、異なる使用環境等のため、内蔵されたプログラムだけでは、測量機の機能を正しく発揮できない場合があるという問題がある。また、測量機の経年変化、使用環境、使用用途の変化によっても同様の問題がある。
【０００６】
このような問題に対応するには、作業者が熟練の勘により、動作の設定を調整したり、販売代理店やメーカが測量機を回収し、それぞれの状態に合わせてプログラムを修正したりする必要がある。
【０００７】
このため、作業者の熟練度に関わらず、自動的に動作を最適化することができ、販売代理店やメーカで回収して、プログラムの修正をする必要のない測量システムが求められている。
【先行技術文献】
【特許文献】
【０００８】
【特許文献１】特開２００９−１５６７７３号公報
【発明の概要】
【発明が解決しようとする課題】
【０００９】
本発明は、かかる事情を鑑みてなされたものであり、測量機の固有特性や、使用環境等の変化に応じて、自動的に動作を最適化することができる測量システムを提供することを目的とする。
【課題を解決するための手段】
【００１０】
上記目的を達成するために、本発明の一つの態様に係る測量システムは、測距光を出射しターゲットで反射した前記測距光を受光して、前記ターゲットまでの測距および測角を行う測定部、前記測定部を制御する演算制御部、および通信ネットワークを介して外部と通信可能な通信部を備える測量機と、前記測量機と同一の構成を有する第１の外部機器と、サーバ制御部、前記測量機および前記第１の外部機器とそれぞれ通信可能なサーバ通信部、および前記測量機ならびに前記第１の外部機器の測定に関するデータ、および前記測量機ならびに前記１の外部機器に関する情報を記憶するサーバ記憶部を備えるサーバとを備え、前記サーバ制御部は、前記サーバに記憶された前記データならびに前記情報に基いて前記測量機の異常を検出する異常検出部、前記サーバに記憶されたデータまたは前記情報に基いて、機械学習により前記異常の原因を解析し、異常状態を改善する方法を予測する原因解析部、および前記解析ならびに予測の結果を測量機に報告する報告部を備え、前記演算処理部は、前記サーバに異常検出を指令する異常検出指令部、前記サーバに原因解析を指令する原因解析指令部、および前記サーバより、前記解析及び予測の結果に基いて、動作プログラムを最適化するプログラム修正部を備えることを特徴とする。
【００１１】
上記態様において、前記測定に関するデータは、測定結果データ、精度データ、および測定ステータスデータを備え、前記異常検出部は、前記精度データに基づいて前記測定結果データの異常を検出し、前記原因解析部は、機械学習により前記測定結果データ、前記精度データ、および前記測定ステータスデータとの対応を学習した結果に基づいて、前記異常の原因を解析するとともに異常状態を改善する方法を予測し、前記プログラム修正部は、前記異常状態を改善する方法を実行し得るように、測定プログラムを修正することも好ましい。
【００１２】
また、上記態様において、前記演算制御部は、結果送信部をさらに備え、プログラム修正結果を、前記サーバに送信し、前記サーバ記憶部は、前記プログラム修正結果を記憶することも好ましい。
【００１３】
また、上記態様において、前記第１の外部機器とは異なる種類の第２の外部機器をさらに備え、前記原因解析部は、前記測量機および前記第１の外部機器それぞれの測定に関するデータおよび前記測量機および前記第１の外部機器に関する情報に加えて、第２の外部機器に関するデータおよび前記通信ネットワークを介して利用可能なデータの少なくとも一方に基いて、前記異常の原因の解析および異常状態の改善方法の予測を行うことも好ましい。
【００１４】
前記測量機は、入力部および出力部を備え、前記サーバは、前記異常検出部および前記原因解析部による異常検出および原因解析ならびに改善方法予測の結果を前記測量機に報告する報告部を備え、前記演算制御部は、前記異常検出部による異常検出結果、前記原因解析部による異常状態の改善方法の予測結果に基いて、前記出力部を用いて作業者に報告・助言を行う報告・助言部を備え、前記入力部は、作業者からの指令を入力可能とすることも好ましい。
【発明の効果】
【００１５】
上記構成によれば、測量機の固有特性や、使用環境等の変化に応じてプログラムを自動的に修正できるので、測量機の動作を最適化することができる。
【図面の簡単な説明】
【００１６】
【図１】本発明の第１の実施の形態に係る測量システムの構成を示す図である。
【図２】同形態の測量システムに使用される測量機の右方斜視図である。
【図３】同形態の測量システムを用いる、対回観測動作のフローチャートである。
【図４】同形態の測量システムにおける、プログラムの自動修正の処理のフローチャートである。
【図５】同形態の測量システムを用いる、最適化された対回観測動作のフローチャートである。
【図６】同形態の測量システムにおける、プログラムの自動修正の方法を説明する図である。
【図７】（ａ），（ｃ），（ｅ）は同形態の測量システムに係る測量機の表示部に表示された測量機からのメッセージを示す図であり、（ｂ），（ｄ），（ｆ）は、同表示部に表示された、作業者によって入力された指示を示す図である。
【図８】同形態の測量機における、プログラムの自動修正の処理のフローチャートである。
【図９】(ａ），（ｃ），（ｅ）は同形態の測量システムに係る測量機の音声出力部より出力される測量機からのメッセージを示す図であり、（ｂ），（ｄ），（ｆ）は、音声入力部から、作業者により入力される指示を示す図である。
【図１０】（ａ），（ｃ），（ｅ）は同形態の測量システムに係る測量機の表示部に表示された測量機からのメッセージを示す図であり、（ｂ），（ｄ），（ｆ）は、同表示部に表示された、作業者によって入力された指示を示す図である。
【図１１】（ａ），（ｃ）は同形態の測量システムに係る測量機の音声出力部より出力される測量機からのメッセージを示す図であり、（ｂ），（ｄ）は、音声入力部から、作業者により入力される指示を示す図である。
【図１２】（ａ），（ｃ）は同形態の測量システムに係る測量機の表示部に表示された測量機からのメッセージを示す図であり、（ｂ），（ｄ）は、同表示部に表示された、作業者によって入力された指示を示す図である。
【００１７】
本発明の好適な実施の形態について、図面を参照しながら説明する。以下の実施の形態において、同一の構成には同一の符号を付し、重複する説明を省略する。
【００１８】
実施の形態
（システムの構成）
図１は、本発明の実施の形態にかかる測量システム（以下、単に「システム」ともいう。）１の構成ブロック図である。
【００１９】
システム１００は、測量機ＴＳ、サーバＳ、第１の外部機器ＥＥ１、および第２の外部機器ＥＥ２を備える。測量機ＴＳ、第１の外部機器ＥＥ１、および第２の外部機器ＥＥ２は、通信ネットワークＮを介してサーバＳと通信可能に構成されている。
【００２０】
通信ネットワークＮは、インターネット、ローカル・エリア・ネットワーク、ワイド・エリア・ネットワーク、衛星通信ネットワーク等を適用可能であり、またそれらが複合的に組み合わせることも可能である。また、通信ネットワークＮは、ケーブルを用いた有線通信あるいはＷｉ−Ｆｉ等で構成された無線通信であっても構わない。
【００２１】
（測量機ＴＳの構成）
測量機ＴＳは、トータルステーションである。図２は、図１のシステム１に使用される測量機ＴＳの右方斜視図である。測量機ＴＳは、外観上、整準器の上に設けられた基盤部２ａ、基盤部２ａ上を水平回転する托架部２ｂ、および托架部２ｂの中央で鉛直回転する望遠鏡２ｃを備える。望遠鏡２ｃは、ターゲットを視準する視準光学系を備える。
【００２２】
また、測量機ＴＳは、機能的には、図１に示すように、測定部１０、演算制御部３０、記憶部４０、作業者インタフェイス部５０、通信部６０を備える。
【００２３】
測定部１０は、ＥＤＭ（Ｅｌｅｃｔｒｏ−ｏｐｔｉｃａｌ・Ｄｉｓｔａｎｃｅ・Ｍｅａｓｕｒｉｎｇ・Ｉｎｓｔｒｕｍｅｎt：光波測距儀）１１、水平角検出器１２、鉛直角検出器１３、傾斜センサ１４、ＧＮＳＳ受信機１５、自動視準部１６、水平回転駆動部１７、鉛直回転駆動部１８、時計１９、および環境センサ２１を備える。
【００２４】
ＥＤＭ１１は、発光素子、測距光学系および受光素子を備える。ＥＤＭ１１は、望遠鏡２ｃの内部に配置され、測距光学系は、視準光学系と光学要素を共有する。ＥＤＭ１１は、発光素子から測距光を出射し、ターゲットからの反射光を受光素子で受光して、ターゲットを測距する。
【００２５】
水平角検出器１２および鉛直角検出器１３は、ロータリーエンコーダであり、後述する水平回転駆動部１７および鉛直回転駆動部１８でそれぞれ駆動される托架部２ｂおよび望遠鏡２ｃの回転軸周りの回転角度を検出し、視準光軸Ａの水平角および鉛直角を求める。
【００２６】
傾斜センサ１４は、整準器に備えられ、測量機本体の傾斜を検出し水平に整準するために使用される。
【００２７】
ＧＮＳＳ受信機１５は、ＧＮＳＳ衛星等の航法衛星からの航法信号を受信し、航法信号に基いて、自位置の衛星測位データを取得する。
【００２８】
自動視準部１６は、視準光学系、視準用光源、画像センサ等から構成され、視準光を視準用光源から出射し、ターゲットからの反射視準光を画像センサで受光して、受光結果に基づいて、視準光軸をターゲットに合致させる自動視準を行う。
【００２９】
水平回転駆動部１７および鉛直回転駆動部１８はモータであり、演算制御部３０に制御されて、それぞれ托架部２ｂを水平回転させ、望遠鏡２ｃを鉛直回転させる。
【００３０】
環境センサ２１は、測量機TSの測定環境を測定するセンサであり、公知の構成を有する、温度センサ、湿度センサ、気圧センサ、風量計、振動計等種々のセンサを含む。これらのセンサは、単独で用いてもよく、複数を組み合わせて備えていてもよい。
【００３１】
演算制御部３０は、ＣＰＵ（Ｃｅｎｔｒａｌ・Ｐｒｏｃｅｓｓｉｎｇ・Ｕｎｉｔ）、ＧＰＵ（Ｇｒａｐｈｉｃａｌ・Ｐｒｏｃｅｓｓｉｎｇ・Ｕｎｉｔ）を備える。演算処理部は、測定部、通信部、入力部から入力された各種情報に基いて、各種処理を実行する。また、演算制御部３０は、測定プログラムを実行し、水平回転駆動部、鉛直回転駆動部の駆動を制御する。演算制御部３０は、測定実行により得られる測定結果データ、精度データおよび測定ステータスデータを記憶部４０に記憶し、通信部６０を介してサーバに送信する。
【００３２】
また、演算制御部３０は、機能部として、測定実行部３１、異常検出指令部１３２、原因解析指令部１３３、プログラム修正部３４、報告・助言部３５、および修正結果送信部３６を備える。
【００３３】
測定実行部３１は、対回観測プログラムに従って測定を実行する。
【００３４】
異常検出指令部１３２は、サーバに対して、測定における異常を、記憶部４０に記憶されたデータおよび情報に基いて検出するよう指令する。
【００３５】
なお、「異常」とは、通常の状態と異なることをいい、測定の異常とは、測定が正常に行われないこと、測距値がでないこと、測定値が大きいこと、測定値が小さいこと、測定値の精度が悪いこと、測定時に自動視準ができないこと、データの取り込みが正常でないこと、出力データに異常があること、その他、自動測定ができないことなど測定に関する動作が通常とは異なることを含み、さらに、ある測定点で昨日と異なる測定結果であったことなどこれらの値や状態が過去と比較して変化したことなどを含む。
【００３６】
原因解析指令部１３３は、異常検出部７４が検出した異常の原因を解析し、改善方法を予測するようサーバに指令する。
【００３７】
プログラム修正部３４は、原因解析部７５による原因解析および改善方法予測結果に基いて、測定プログラムを最適化するように修正する。
【００３８】
修正結果送信部３６は、プログラムの修正結果を、サーバＳに送信する。
【００３９】
各機能部は、人工知能により制御されるソフトウェアとして構成されていてもよいし、専用の演算回路によって構成されていてもよい。また、ソフトウェア的に構成された機能部と、専用の演算回路によって構成された機能部が混在していてもよい。
【００４０】
記憶部４０は、例えばＲＡＭ（Ｒａｍｄａｍ・Ａｃｃｅｓｓ・Ｍｅｍｏｒｙ）である。
【００４１】
記憶部４０は、各機能部の機能を実行するためのプログラムを記憶する。
【００４２】
ユーザインタフェイス部５０は、入力部５１、表示部５２を備える。
【００４３】
入力部５１は、例えば、操作ボタンであり、これにより、作業者は、指令を入力したり、設定の選択を行ったりできる。
【００４４】
表示部５２は、例えば、液晶ディスプレイであり、測定結果、環境情報、設定情報等種々の情報を表示する。また、入力部５１より、作業者によって入力された指令を表示する。
【００４５】
なお、入力部５１と表示部５２とを一体的に構成して、タッチパネル式ディスプレイとしてもよい。
【００４６】
通信部６０は、通信ネットワークＮを介して、サーバＳおよび外部機器ＥＥ１，ＥＥ２との通信を可能にするものであり、例えば、インターネットプロトコル（ＴＣＰ／ＩＰ）を用いてインターネットに接続可能とする。
【００４７】
（サーバＳの構成）
サーバＳは、サーバ通信部７１、サーバ記憶部７２およびサーバ制御部７３を備える。
【００４８】
サーバ通信部７１は、通信ネットワークＮを介して、サーバＳと、測量機ＴＳ、第１の外部機器ＥＥ１および第２の外部機器ＥＥ２との間で情報の送受信を可能とする。
【００４９】
サーバ記憶部７２としては、例えば、ＨＤＤ、ソリッドステートドライブ、半導体フラッシュメモリ、ブルーレイディスク等を用いることができる。
【００５０】
サーバ記憶部７２は、測量機ＴＳ、第１の外部機器ＥＥ１および第２の外部機器ＥＥ２のそれぞれについて、測定結果データ、精度データ、および気温、気圧、湿度等の環境データ、その他対回観測の観測方法の設定（測定回数、測定条件等）に関するデータ、旋回時のモータ駆動状態に関するデータ、ならびに傾斜センサのデータ（以下、これらのデータを総称して「測定ステータスデータ」という。）（また、以下「測定結果データ」、「精度データ」および「測定ステータスデータ」を総称して、「測定に関するデータ」と言う。）を記憶する。また、サーバ記憶部７２は、測量機ＴＳ、第１の外部機器ＥＥ１および第２の外部機器ＥＥ２のそれぞれについて、器械に関する情報として、機種名/製造年,登録プログラム等の器械固有の情報を記憶する。
【００５１】
サーバ制御部７３は、少なくとも高性能のＣＰＵおよびメモリ（ＲＯＭ、ＲＡＭ等）を備える制御ユニットである。
【００５２】
サーバ制御部７３は、機能部として、異常検出部７４、原因解析部７５および報告部７６を備える。
【００５３】
異常検出部７４は、測量機ＴＳからの指令に応じて、サーバ記憶部７２に記憶されたデータおよび情報に基いて、測定における異常を検出する。
【００５４】
原因解析部７５は、測量機ＴＳからの指令に応じて、サーバ記憶部７２に記憶されたデータおよび情報に基いて、機械学習により、異常の原因を解析し、異常状態の改善方法を予測する。
【００５５】
報告部７６は、異常検出部７４による検出結果、および原因解析部による解析結果および改善方法の予測結果を測量機ＴＳに報告する。
【００５６】
各機能部は、人工知能により制御されるソフトウェアとして構成されていてもよいし、専用の演算回路によって構成されていてもよい。また、ソフトウェア的に構成された機能部と、専用の演算回路によって構成された機能部が混在していてもよい。
【００５７】
（第１の外部機器ＥＥ１の構成）
第１の外部機器ＥＥ１は、測量機ＴＳと同種のトータルステーションである。第１の外部機器ＥＥ１は、測定部８１、演算制御部８２、記憶部８３、ユーザインタフェイス部８４、通信部８５を備える。これらはそれぞれ、測量機ＴＳの測定部１０、演算制御部３０、記憶部４０、ユーザインタフェイス部５０、通信部６０と同一であるので説明は省略する。
【００５８】
第１の外部機器ＥＥ１は、測量機ＴＳと同様に、測定実行により得られる測定結果データ、精度データおよび測定ステータスデータを、通信部８５を介して測定毎にサーバに送信する。
【００５９】
（第２の外部機器ＥＥ２の構成）
第２の外部機器ＥＥ２は、測量機ＴＳとは異なる種類の測定器である。例えば、風速計、風量計、温度計、湿度計、振動計、その他の測定装置である。また、測量機ＴＳとは構成の異なる、トータルステーション、電子レベル、トランシット等の測量機であってもよい。
【００６０】
第２の外部機器ＥＥ２は、少なくとも測定部９１および通信部９２を備える。
【００６１】
測定部９１は、外部機器の種類に応じて、公知の構成を備える。すなわち、風速計の場合は、公知の風速計の測定部としての構成を備える。
【００６２】
通信部９２は、通信ネットワークＮを介して、サーバＳとの間で、種々のデータの送受信を可能とする。
【００６３】
第２の外部機器ＥＥ２は、測量機ＴＳ、第１の外部機器ＥＥ１と同様に、測定毎に、測定結果データ、および種々のデータをサーバＳに送信する。
【００６４】
＜実施例１＞
１つの例として、本実施の形態に係る測量システム１００を用いて、測量機ＴＳの対回観測プログラムを自動修正する方法を説明する。
【００６５】
（出荷時の対回観測動作）
図３は、測量機ＴＳの出荷時の対回観測プログラムによる、対回観測動作のフローチャートである。作業者が、測量機ＴＳを操作して対回観測を開始すると、ステップＳ１０１で、測量機ＴＳは、測定の準備として、測量機ＴＳの設定および対回観測の測定方法の設定を行う。
【００６６】
具体的には、測量機ＴＳの設定としては、チルトの整準、気象補正のための温度、気圧、湿度の設定、コリメーション補正設定、両差補正設定、ターゲットタイプ、プリズム定数の設定を行う。また、対回観測の測定方法の設定としては、器械点、測定点の点名、器械高・視準高の登録、対回観測のセット数、距離読定数の指定、許容精度の設定などを行う。
【００６７】
次に、ステップＳ１０２で、測定実行部３１は、水平回転駆動部１７を駆動して、所定の速度で、望遠鏡２ｃを水平方向に旋回する。また、測定の正反に応じて、望遠鏡２ｃを鉛直方向に反転する。
【００６８】
次に、ステップＳ１０３で、測定実行部３１は、自動視準部１６を用いて、ターゲットの自動視準を行う。ターゲットの視準を完了すると、ステップＳ１０４に移行して、水平角の測定を行う。
【００６９】
次に、ステップＳ１０５で、測定実行部３１は、測定が終了したかどうかを判断する。測定が終了していない場合（Ｎｏ）、ステップＳ１０２に戻って測定を繰り返す。
【００７０】
一方測定が終了した場合（Ｙｅｓ）、ステップＳ１０６に移行して、測定実行部３１は、測定の精度（倍角差、観測差）をチェックして、測定を終了する。
【００７１】
一連の対回観測動作において、測量機ＴＳは、作業者による操作ステータス、環境センサ２１により取得した気温、気圧、湿度等の環境データ、その他対回観測の観測方法の設定に関するデータ（ステップＳ１０１）、旋回時のモータ駆動状態に関するデータ（ステップＳ１０２）、傾斜センサのデータ（ステップＳ１０２）、測定結果データ（ステップＳ１０４）、および測定精度（倍角差、観測差）のチェック結果（以下、「精度データ」という。）（ステップＳ１０７）等を、逐次、サーバＳに送信する。サーバＳはこれらのデータをサーバ記憶部、に記憶する。このようにして現在以前に記憶されたデータを、「過去データ」という。
【００７２】
(対回観測プログラムの自動修正)
図４は、システム１００を用いて、測量機ＴＳの異常を改善するために、プログラムを自動的に修正する処理のフローチャートである。測量機ＴＳは測定毎にまたは必要に応じて、下記の動作を繰り返し実行する。
【００７３】
まず、測量機ＴＳは、上記の通り、測定毎に、測定ステータスデータ、測定結果データ、精度データをサーバＳに送信している。同様に、第１の外部機器ＥＥ１、第２の外部機器ＥＥ２も、測定毎に、測定毎に、測定ステータスデータ、測定結果データサーバＳに送信する。サーバＳは、これらのデータを過去データとして、測量機ＴＳ、第１の外部機器ＥＥ１，第２の外部機器ＥＥ２と関連付けてサーバ記憶部７２に記憶している。
【００７４】
処理を開始すると、ステップＳ２０１で、測量機ＴＳは測定を行う。測定の具体的な動作は、図３のステップＳ１０１〜Ｓ１０６の動作である。次にステップＳ２０２で、異常検出指令部１３２が、サーバＳに、異常検出を指令する。
【００７５】
次に、ステップＳ２０３で、異常検出部７４は、サーバ記憶部７２に記憶された測定に関するデータに基づいて、異常、すなわち、精度が悪いデータがあるどうかを検出する。異常を検出しない場合（Ｎｏ）、処理は終了する。
【００７６】
しかし、測定を１００回、５００回と繰り返すにつれて、対回観測の結果の精度（倍角差、観測差）の悪い測定がある場合がある。このように異常を検出した場合（Ｙｅｓ）、ステップＳ２０４で、原因解析部７５は、サーバＳから測量機ＴＳおよび第１の外部機器ＥＥ１，第２の外部機器ＥＥ２の過去データを受信して、測量機ＴＳおよび第１の外部機器ＥＥ１，第２の外部機器ＥＥ２それぞれの測定ステータスデータと精度データの相互の対応を機械学習した結果に基いて、前記異常の原因を解析し改善方法を予測する。
【００７７】
具体的には、測量機ＴＳの精度データが所定の範囲に入っているかどうかを確認することにより異常の検出を行う。また、測量機ＴＳの測定環境データを、測量機ＴＳの過去の測定環境データ、測定データおよび精度データ、第１の外部機器ＥＥ１の過去の測定環境データ、測定データおよび精度データと対応させて比較し、精度の悪い原因が、チルトが安定しないため、すなわち、自動視準が完了しても、しばらくの間、傾斜センサ１４の値が、所定の範囲内にとどまらないためであると、原因を解析する。また、過去にチルトが安定しない場合の測量機ＴＳと第１のおよび第２の外部機器ＥＥ１，ＥＥ２の過去の測定に関するデータを比較して、チルトの安定が改善される傾向にある測定条件を見つけ出し、最適な測定条件を予測する。
【００７８】
この結果、測量機ＴＳにおいては、例えば、水平角３０°〜６０°の測定の場合に、傾斜センサの値の安定が悪くなる特性があり、これが原因である可能性があることがわかる。また、測量機ＴＳの過去データまたは第１の外部機器ＥＥ１の過去データから、この状態を改善するには、例えば、モータの駆動方法を自動視準後に左方向に１′駆動し、その後、右方向に１′駆動することが有効であることがわかる。
【００７９】
次に、ステップＳ２０５で、報告部７６は、原因解析部７５による原因解析結果および改善方法の予測結果を測量機ＴＳに報告する。
【００８０】
次に、ステップＳ２０６で、測量機ＴＳのプログラム修正部３４が、原因解析結果および改善方法の予測結果に基いて、測定プログラムの修正を行い、プログラムを最適化する。修正された対回観測プログラムの詳細については後述する。
【００８１】
なお、ステップＳ２０５の解析の結果、得られる原因は、１つに限らず、複数の場合もある。また、１つの原因について、異常状態を改善する方法は、１つに限らず複数の場合もある。このような場合は、プログラム修正部３４は、最も効果が高いと予測される改善方法を選択し、実行することとしてもよい。
【００８２】
次に、ステップS２０７で、測定実行部３１が、修正されたプログラムにより、測定を実行し、測定データ、精度データおよび測定環境データを取得して、サーバＳに送信する。
【００８３】
次に、ステップＳ２０８で、修正結果送信部３６が、プログラムの修正結果をサーバに送信する。
【００８４】
次に、ステップＳ２０９で、異常検出部７４がステップＳ２０３と同様にして、再度異常を検出し、ステップＳ２０３で発見された異常状態が改善されているかどうかを判断する。
【００８５】
異常状態が改善されていない場合（Ｎｏ）、処理はステップＳ２０３に戻り、再度原因の解析および改善方法の予測を行う。
【００８６】
異常状態が改善された場合（Ｙｅｓ）、ステップＳＳ２０９で、サーバ記憶部７２はプログラム修正結果を測量機ＴＳの識別番号と関連付けてサーバ記憶部７２に保存する。該プログラム修正結果も、次回以降のプログラムの自動修正において、過去データとして
利用される。
【００８７】
（最適化された対回観測動作）
図５は、プログラムの自動修正により最適化された対回観測動作のフローチャートである。
【００８８】
ステップＳ３０１〜Ｓ３０３では、ステップＳ１０１〜Ｓ１０３と同様に、作業者の指令によって、対回観測を開始すると、測定実行部３１は、水平回転駆動部１７を駆動して、望遠鏡２ｃ旋回し、自動視準を行う。
【００８９】
次に、ステップＳ３０４で水平角が３０°〜６０°であるかどうかを判断する。
【００９０】
水平角が３０°〜６０°ではない場合（Ｎｏ）、ステップＳ３０７に移行して、測定実行部３１が水平角の測定を実行する。
【００９１】
水平角が３０°〜６０°である場合（Ｙｅｓ）、処理は、ステップＳ３０５に移行して、測定実行部３１は、水平回転駆動部１７を左方向へ１′旋回するよう駆動する。次にステップＳ３０６で、水平回転駆動部１７を右方向へ１′旋回するよう駆動する。次に、ステップＳ３０７で、測定実行部３１が水平角の測定を実行する。
【００９２】
水平角の測定実行後は、ステップＳ１０５〜Ｓ１０６と同様に、測定終了の判断（ステップＳ３０８）、終了していない場合はステップＳ３０２〜Ｓ３０８の繰り返し、測定終了後の精度チェック（ステップＳ３０９）を行い、処理を終了する。
【００９３】
ここで、プログラムの修正の方法について説明する。一般に、プログラムによって規定される処理は、図６の左図に示すようなフローチャートで表される。
【００９４】
本実施の形態に係る原因解析部３３は、右図に示すように、各処理間に少なくとも１つの矢印（灰色の矢印）を用意し、Ａ〜Ｈの各処理をつなぐ矢印を、つなぎ変えたり、新たな処理を追加したり、処理を削除したりすることにより、異常を改善する最適な処理の順序および内容を選択する。次いで、プログラム修正部３４が、原因解析部３３が、異常の改善に有効と判断した処理の順序および内容となるように、矢印（黒色の矢印）をつなぎ変えたり、処理を追加したり、削除したりすることによりプログラムの修正を実行する。
【００９５】
本例においては、プログラム修正部３４は、出荷時の測定プログラム（ステップＳ１０１〜Ｓ１０６）に、新たに、ステップＳ３０４の条件、ステップＳ３０５，S３０６の処理を追加するように、プログラムの修正を実行する。
【００９６】
本実施の形態によれば、測量機ＴＳ固有の特性や、測定環境等、経年劣化等により測量機ＴＳに異常が生じた場合にも、異常検出部７４が異常を検出し、原因解析部７５が測量機ＴＳおよび第１の外部機器ＥＥ１の測定に関するデータおよび器械に関する情報に基いて、機械学習により、異常の原因を解析し、異常状態を改善する方法を予測し、予測結果に基いて、プログラム修正部３４が自動的に既存のプログラムを修正して異常状態の改善をするので、作業者の熟練に関わらず測量機ＴＳの異常状態を改善し、動作を最適化することができる。
【００９７】
特に、原因解析部７５は機械学習によって、異常の原因を解析し、異常状態を改善する方法を予測するので、未知の異常についても対応することができる。
【００９８】
また、本実施の形態によれば、熟練者であれば、勘などにより測定機の設定を細やかに調整することにより対応していたような異常であっても、そのような設定の内容を含む過去データに基いて機械学習して、原因を解析し、改善方法を予測することができるので、初心者であっても熟練者と同様の測定を行うことができる。
【００９９】
また、本実施の形態によれば、自動的に既存のプログラムを修正するので、メーカや販売代理店に測量機ＴＳを持ち込んで、プログラムの修正を行う手間を省略することができる。
【０１００】
さらに、本実施の形態によれば、測量機ＴＳ自身の過去データのみならず、第１の外部機器ＥＥ１の過去データに基いて、機械学習を行っているため、機械学習の精度が高くより最適な改善方法を見つけることができる。
【０１０１】
また、機械学習は、処理を行うデータが膨大であるが、本実施の形態によれば、測量機ＴＳ自身ではなく、より高性能なＣＰＵを備えるサーバに機械学習をさせるため、データの処理速度が早くなる。
【０１０２】
また、測量機ＴＳは、測定毎に過去のデータをサーバに送信しており、異常の原因解析および改善方法の予測を行うにあたり、基礎となるデータは時間と共に増大していく。そのため、測量機ＴＳの経年変化や、測定環境の変化などにリアルタイムに対応した、機能の最適化が可能となる。
【０１０３】
さらに、本実施の形態によれば、測量機ＴＳは、プログラム修正結果をサーバに送信し、サーバがこれを過去データとして保存する。従って、第１の外部機器ＥＥ１などの他の測量機で、プログラムの自動修正を行う場合に、当該プログラム修正結果を利用することができる。また、開発技術者が当該データを参照し、プログラム開発に利用することもできる。
【０１０４】
＜変形例１＞
上記の例では、異常検出部７２による異常の検出は、予め設定した値の範囲に入っているか等を判断することにより行っているが、測量機ＴＳの測定に関するデータと測量機ＴＳおよび第２の外部機器ＥＥ１の過去データを用いた機械学習により、異常を検出するように構成してもよい。
【０１０５】
＜変形例２＞
上記の例では、測量機ＴＳの過去データおよび第１の外部機器ＥＥ１の過去データに基いて機械学習を行っているが、機械学習の基礎とするデータとしては、これに限らず、第２の外部機器ＥＥ２の過去の測定データやインターネット上で流通しているあらゆるデータを用いることができる。
【０１０６】
例えば、測量機の受光光量が安定しないという異常を検出した場合に、測量機ＴＳおよび温度センサ（第２の外部機器ＥＥ２）の過去データから、測量機から所定の距離にある地点の温度と、測量機を設置した地点の温度差が所定の範囲以上であるために大気のゆらぎの影響が大きくなるという原因を特定し、改善方法として、大気のゆらぎに対応した最適な測定条件を設定するなどということがわかる。
【０１０７】
第２の実施の形態
（システムの構成）
図７は第２の実施の形態に係る測量システム２００の構成ブロック図である。図７に示すように、システム２００は、第１の実施の形態に係るシステム２００と同様に、測量機ＴＳa、サーバＳ、第１の外部機器ＥＥ１、および第２の外部機器ＥＥ２を備える。
【０１０８】
しかし、システム２００を構成する測量機ＴＳａが、演算処理部２３０に報告・助言部３５および音声認識部３７を有する点で異なる。また、ユーザインタフェイス部２５０が、音声入力部５３および音声出力部５４を有する点で異なる。その余の点は同一であるので、同一の構成には同一の符号を付し、重複する説明を省略する。
【０１０９】
報告・助言部３５は、サーバＳの報告部７６により報告された、異常検出部７４による異常の検出結果、プログラム修正後の異常状態の改善状況、および原因解析部７５３による、原因解析結果ならびに改善方法予測結果に基いて、作業者に対する報告・助言のためのメッセージを作成する。
【０１１０】
音声認識部３７は、音声入力部５３から入力された音声を、自然言語処理機能により認識する。
【０１１１】
音声入力部５３および音声出力部５４は、それぞれ、マイクおよびスピーカである。音声入力部５３は、作業者が発する音声を集音し、音声信号に変換して出力する。音声出力部５４は、演算制御部３０の指示に基いて、測量機の報告・助言部３５で生成された作業者への報告・助言を音声として出力する。
【０１１２】
(プログラムの自動修正)
図８は、測量システム２００によりプログラムを自動的に修正する処理のフローチャートである。
【０１１３】
処理を開始すると、ステップＳ５０１で、測量機ＴＳは測定を行う。次にステップＳ５０２で、測量機ＴＳの異常検出指令部１３２が、サーバＳの異常検出部７４に、異常検出を指令する。
【０１１４】
次にステップＳ５０３では、異常検出部７４が、サーバ記憶部７２に記憶された過去データに基いて、異常を検出する。異常が検出されない場合（Ｎｏ）、処理は終了する。
【０１１５】
異常が検出された場合（Ｙｅｓ）、ステップＳ５０４で、報告部７６は、検出結果、および原因を予測する旨の報告を測量機ＴＳａに送信する。次にステップＳ５０５では、測量機ＴＳｂの報告・助言部３５サーバＳａから受信した報告に基いて報告・助言を作成し、音声出力部５４より図９（ａ）に示すように音声として出力する。
【０１１６】
次に、ステップＳ５０６で、作業者が、図９（ｂ）に示すように、原因の解析に同意する指令を、音声入力部５３より音声で入力すると（Ｙｅｓ）、処理はステップＳ５０７に移行して、原因解析指令部１３３が、指令をサーバＳへと送信する。
【０１１７】
次に、ステップＳ５０８で、原因解析部７５が、ステップＳ２０３と同様に、原因の解析を実行し、前記異常の原因を解析し改善方法を予測する。
【０１１８】
一方ステップＳ５０６で、作業者が原因の解析に同意しない場合（Ｎｏ）、処理は終了する。
【０１１９】
次に、ステップＳ５０９では、報告部７６がステップＳ５０８での原因解析結果および改善方法予測結果を測量機ＴＳａに送信する。
【０１２０】
次にステップＳ５１０で、報告・助言部は、サーバＳから受信した報告に基いて、原因解析結果の報告と、改善方法を実行するかどうかを確認する助言を作成し、音声出力部５４から図９（ｃ）に示すように音声で出力する。
【０１２１】
次に、ステップＳ５１１で、音声入力部５３より入力された作業者の音声による指令が、図９（ｄ）に示すように、プログラムの修正に同意するものである場合（Ｙｅｓ）、処理はステップＳ５１２に移行して、ステップＳ２０４と同様に、プログラム修正部３４が、プログラムの修正を行う。
【０１２２】
一方ステップＳ５１１で、作業者の音声による指令が、修正に同意しない場合（Ｎｏ）、処理は終了する。
【０１２３】
ステップＳ５１２でプログラムの修正が終了すると、ステップＳ５１３では、測定実行部３１が、修正されたプログラムにより、測定を実行し、次いでステップＳ５１４で、測測定を、サーバＳａに送信するとともに異常検出指令部１３２が、サーバＳの異常検出部７４に、異常検出の処理を指令する。
【０１２４】
次にステップＳ５１５において、異常検出部７４は、ステップＳ５０３と同様にして、異常を検出し、ステップＳ５０３で検出された異常状態が改善されているかどうかを検出する。
【０１２５】
異常状態が改善された場合（Ｙｅｓ）、ステップＳ５１６、報告部７６が異常状態の改善についての報告を作成し、測量機ＴＳａに送信する。次いで、ステップＳ５１７で、報告・助言部３５はサーバＳから受信した報告に基いて、報告作成し、音声出力部５４から、図９（ｅ）に示すように音声を出力する。
【０１２６】
作業者は、音声による報告を確認すると、ステップＳ５１７で図９（ｆ）のように了解の旨を入力し、処理を終了する。
【０１２７】
一方、ステップＳ５１５において異常状態が改善されていない場合（Ｎｏ）、処理はＳ５０７にもどり、原因の解析および改善方法の予測をくりかえす。
【０１２８】
上記の構成によれば、測量機ＴＳからの報告を音声により認識し、作業者からの指令を音声により行うことができるので、他の作業をしながら指令を送信することができ、作業効率が向上する。また、指令入力における手間が軽減することができ、使い勝手が向上する。また、測量機に手を触れずに指令を送信することができるので、測量条件に影響を及ぼす恐れがない。また、音声認識部３７は、自然言語処理機能を有しているので、詳しい知識を有さない作業者であっても、指令を行うことができる
【０１２９】
なお、ステップＳ５０５，５１０，５１７における報告・助言およびステップＳ５０６，S５１１，Ｓ５１５のユーザの指示のやり取りは、上記のように、音声出力部５４および音声入力部５３を用いて行うのに代えて、表示部５２および入力部５１により図１０に示すように行ってもよい。
【０１３０】
＜変形例３＞
また、ステップＳ５０３の以上の検出、ステップＳ５０８の原因解析および改善方法予測において、異常の検出結果や、原因の解析結果、改善方法の予測結果が複数ある場合もある。
【０１３１】
そのために、図９（ａ），（ｃ）の音声出力部より出力される測量機からのメッセージに代えて、それぞれ図１１（ａ），（ｃ）のように出力し、作業者が図１１（ｂ），（ｄ）のように音声入力部から、音声を入力することで、作業者が、解析およびプログラム修正の対象を任意に選択したり、測量機に自動的に選択させたり、全てを選択するようにしたり、あるいは選択しないようにしたりできるように構成されていてもよい。また、処理の優先度、有効性などを報知して、作業者が選択するのを補助するように構成してもよい。
【０１３２】
また、図１０（ａ）〜図１０（ｄ）の表示部の表示に代えて、それぞれ図１２（ａ）〜図１２（ｄ）のように表示し、複数の結果を列挙し、作業者が、画面の表示に従って、解析およびプログラム修正の対象を任意に選択したり、測量機に自動的に選択させたり、全てを選択するようにしたり、あるいは選択しないようにしたりできるように構成されていてもよい。また、処理の優先度、有効性などを表示して、作業者が選択するのを補助するように構成してもよい。
【０１３３】
上記の構成によれば、作業者は、測量機から出力される表示または音声メッセージに従って、必要な操作を行うことができるので、作業者に難しい知識がない場合にも、簡単に、適切な処理を選択することができる。作業者が熟練者である場合には必要に応じて適切な処理を選択することができる。
【０１３４】
以上、本発明の好ましい実施の形態について述べたが、上記の実施の形態は本発明の一例であり、それぞれの構成を当業者の知識に基づいて組み合わせることが可能であり、そのような形態も本発明の範囲に含まれる。
【符号の説明】
【０１３５】
ＥＥ１  第１の外部機器
ＥＥ２  第２の外部機器
Ｎ  通信ネットワーク
ＴＳ，ＴＳa  測量機
Ｓ  サーバ
１０  測定部
３０，２３０  演算制御部
３４  プログラム修正部
３５  報告・助言部
５１  入力部
５２  表示部（出力部）
５３  音声入力部（入力部）
５４  音声出力部（出力部）
６０  通信部
７１  サーバ通信部
７２  サーバ記憶部
７３  サーバ制御部
７４  異常検出部
７５  原因解析部
７６  報告部
１００，２００  測量システム
１３２  異常検出指令部
１３３  原因解析指令部
【図１】
2019179007.tif 000003
【図２】
2019179007.tif 000004
【図３】
2019179007.tif 000005
【図４】
2019179007.tif 000006
【図５】
2019179007.tif 000007
【図６】
2019179007.tif 000008
【図７】
2019179007.tif 000009
【図８】
2019179007.tif 000010
【図９】
2019179007.tif 000011
【図１０】
2019179007.tif 000012
【図１１】
2019179007.tif 000013
【図１２】
2019179007.tif 000014